(57)【要約】      （修正有）【課題】オレンジ等の塊状物品を筒状包材で包装する縦型包装装置において、ホッパや容器等における物品の殺到をなくして、物品の詰まりを防止する。【解決手段】横断面Ｖ字形の上流樋状体２１を傾斜させて支持するとともに振動体で加振し、上方から落下してくる物品群を受けて排出する上流フィーダ２と、横断面Ｖ字形の下流樋状体３１を傾斜させ、その上流端が上流フィーダの下側に落差を設けて位置するように支持するとともに振動体で加振し、上流フィーダから排出される物品を受けて排出する下流フィーダと、下流フィーダからの物品群を受けて下方に移送すると共に包装材Ｂを筒状に形成するフォーマ４と、を備えてなる縦型包装装置１を提供する。【選択図】図１
2010208645.tif 000002
【特許請求の範囲】
【請求項１】
底部に向うにつれて幅狭となる横断面を有する上流樋状体を傾斜させて支持するとともに振動体で加振し、上方から落下してくる物品を前記上流樋状体で受けて、その下流端から排出する上流フィーダと、
底部に向うにつれて幅狭となる横断面を有する下流樋状体を傾斜させ、その上流端が前記上流樋状体の下流端の下側に落差を設けて位置するように支持するとともに振動体で加振し、前記上流フィーダから排出される物品を前記下流樋状体で受けて、その下流端から排出する下流フィーダと、
該下流フィーダからの物品群を受けて該物品群を下方に移送すると共に包装材を筒状に形成するフォーマと、
該フォーマにて形成された筒状包材の断面をシールする横シール部と、を備えてなることを特徴とする縦型包装装置。
【請求項２】
前記フォーマの投入口は、前記下流樋状体における物品進行方向から前記フォーマ内における物品落下方向に向けて湾曲し、前記下流樋状体から排出される物品を前記フォーマ内へ案内する樋状ガイド体で、上方を覆われていることを特徴とする請求項１に記載の縦型包装装置。
【発明の詳細な説明】
【技術分野】
【０００１】
本発明は、オレンジ等の塊状物品を筒状包材で包装する縦型包装装置に関する。
【背景技術】
【０００２】
複数物品をまとめて包装する場合において、それらの物品をホッパに投入し、下方にセットした容器内に落下供給することが一般的に行われている。しかし、オレンジ等の塊状物品は、ホッパの小径部分や包装容器の開口部分に殺到することにより、ブリッジ状の詰まりを生じることがある。
【０００３】
そこで、ホッパ下部を周方向に回転し、ブリッジした物品に遠心力を作用させる構造（例えば、特許文献１参照。）や、ホッパ内面に回転ローラーを露出させ、ブリッジした物品の一方に押上力を、他方に押下力を作用させる構造（例えば、特許文献２参照。）で詰まりを解消することが提案されている。
【先行技術文献】
【特許文献】
【０００４】
【特許文献１】実開昭５８−１６１８０５号公報
【特許文献２】実公昭４９−３８１４号公報
【発明の概要】
【発明が解決しようとする課題】
【０００５】
しかしながら、上記何れの手段を採用しても、複数物品が一か所を同時通過することに変わりなく、完全に詰まりを解消できるとは限らない。特に、後者の構造は、押上力の作用で物品落下速度が遅くなり、高速処理には不適である。
【０００６】
本発明は、斯かる実情に鑑み、オレンジ等の塊状物品を筒状包材で包装する縦型包装装置において、ホッパや容器等における物品の殺到をなくして、物品の詰まりを防止することを目的とする。
【課題を解決するための手段】
【０００７】
本発明の縦型包装装置は、底部に向うにつれて幅狭となる横断面を有する上流樋状体を傾斜させて支持するとともに振動体で加振し、上方から落下してくる物品を前記上流樋状体で受けて、その下流端から排出する上流フィーダと、底部に向うにつれて幅狭となる横断面を有する下流樋状体を傾斜させ、その上流端が前記上流樋状体の下流端の下側に落差を設けて位置するように支持するとともに振動体で加振し、前記上流フィーダから排出される物品を前記下流樋状体で受けて、その下流端から排出する下流フィーダと、該下流フィーダからの物品群を受けて該物品群を下方に移送すると共に包装材を筒状に形成するフォーマと、該フォーマにて形成された筒状包材の断面をシールする横シール部と、を備えてなる。
【０００８】
また、本発明の縦型包装装置は、前記フォーマの投入口は、前記下流樋状体における物品進行方向から前記フォーマ内における物品落下方向に向けて湾曲し、前記下流樋状体から排出される物品を前記フォーマ内へ案内する樋状ガイド体で、上方を覆われている。
【発明の効果】
【０００９】
本発明の縦型包装装置によれば、上方からまとめて落下してくる塊状物品が幅狭の底部を有する樋状体を走行し、さらに上流樋状体から下流樋状体へ落差をもって排出されることにより、前後方向にバラけて一列に整列されるので、フォーマ内や包材開口部に物品が殺到して詰まることが確実に防止される。上下流のフィーダはともに加振されており、物品を加速しながら整列させるので高速処理にも適するものである。
【００１０】
また、下流フィーダからの物品を下方へ通過させるフォーマの上方に湾曲した樋状ガイド体を設けたので、物品の進行方向を滑らかに変更させて、物品をその整列状態を維持しながらフォーマ内へ確実に導入することができるので、物品の高速処理と一列に整列された物品群の形状が担保される。
【図面の簡単な説明】
【００１１】
【図１】本実施形態に係る縦型包装装置１を示す図。
【図２】上記縦型包装装置１の部分拡大図で（ｂ）は（ａ）のＸ−Ｘ断面相当図。
【発明を実施するための形態】
【００１２】
本実施形態に係る縦型包装装置１は、その上方に設けられた計量機８の開閉ゲート式の物品排出口８ａから間欠的に複数個ずつ落下排出されるオレンジ等の塊状物品群を筒状包材Ｔで包装する装置であり、図１に示されるように、計量機８からの物品を受けて排出する上流フィーダ２と、上流フィーダ２から排出される物品を受けて排出する下流フィーダ３と、下流フィーダ３からの物品群を受けて下方に移送すると共にこれを包装する筒状包材を形成するフォーマ４と、フォーマ４にて形成された筒状包材の断面をシールする横シール部５と、を備えてなる。また、フォーマ４の投入口４１ａには、その上方を覆うように取り付けられた樋状ガイド体６が設けられている。なお、計量機８は、各々計量した複数物品の中から、合計重量が所定重量範囲内となる複数物品の組み合わせを選択し、その物品群をまとめて排出する組合せ計量機である。
【００１３】
上流フィーダ２は、上流樋状体２１と、上流樋状体２１を加振する振動体２２と、上流樋状体２１を傾斜させて支持する脚部２３と、を備えてなり、上方から落下してくる物品を上流樋状体２１で受けて、その下流端２１ｂから排出する。図２（ｂ）に示されるように、上流樋状体２１の物品案内面２１ｃは、左右両側の上縁部２１ｄから中央の底部２１ｅに向かうにつれて幅狭となるＶ字形の横断面を有する。振動体２２は、高周波振動を発生させる電磁振動器である。脚部２３は、振動体２２に取り付けられ、縦型包装装置１の本体の上部テーブル１１上に樋状体２１を支持する。
【００１４】
下流フィーダ３は、下流樋状体３１と、下流樋状体３１を加振する振動体３２と、下流樋状体３１を傾斜させて支持する脚部３３と、を備えてなり、下流樋状体３１の上流端３１ａは、上流樋状体２１の下流端２１ｂの下側に落差を設けて低く位置し、これにより、上流フィーダ２から落下してくる物品を下流樋状体３１で受けて、その下流端３１ｂから排出する。図２（ｂ）に示されるように、下流樋状体３１の物品案内面３１ｃは、左右両側の上縁部３１ｄから中央の底部３１ｅに向かうにつれて幅狭となるＶ字形の横断面を有する。振動体３２は、高周波振動を発生させる電磁振動器である。脚部３３は、振動体３２に取り付けられ、縦型包装装置１の上部テーブル１１上に樋状体３１を支持する。
【００１５】
フォーマ４は、上方が広げられたラッパ状の受入部４１と、受入部４１の下方に連結される筒部４２と、筒部４２の周囲に配設される羽根部４３と、を備えてなり、下流フィーダ３からの物品群を受入部４１で受け入れて、筒部４２内を下方に移送する一方、帯状の包装材Ｂを羽根部４３に導入しながら、筒部４２に巻き付けて筒状に形成する。受入部４１は、下流樋状体３１の下流端３１ｂの下方に設けられ、投入口４１ａが下流端３１ｂに向けて開放されている。筒部４２は、物品を一個ずつ通過させる内径に設定され、これにより物品群を一列に整列した状態で移送する。羽根部４３は、一端が筒部４２を覆う筒状に形成されており、これにより導入した包装材Ｂから筒状包材Ｔを形成する。包装材Ｂは、ロール状に巻かれており、これを保持するロール保持部７から供給される。
【００１６】
横シール部５は、ヒーター加熱されるシールジョー５１と、シールジョー５１を両端に支持し、回転軸５２ａ回りで回転する支持体５２と、を備えてなり、フォーマ４の下方で筒状包材Ｔの前後に配置される。シールジョー５１は、筒状包材Ｔを挟んでその断面を熱シールすると共に、該シール部を不図示のカッターで上下に切断し、これにより物品充填済みの筒状包材Ｔの上端とそれに続く筒状包材Ｔの下端の横シールが同時に行われる。回転軸５２ａは、不図示の回転用モーターで回転すると共に、不図示の軸移動用モーターで前後方向に移動する。これにより、前後一対のシールジョー５１は、それぞれＤ字状の軌跡Ｐを描き、軌跡Ｐが重複する直線部Ｐ１では筒状包材Ｔを挟みつけて移動し、直線部Ｐ１の下端側で筒状包材Ｔを解放する。なお、横シール部５のほか、筒状包材の縦方向に延びる重なり部分を筒部４２に押付けながら熱シールする縦シール部が設けられている。
【００１７】
樋状ガイド体６は、図１に示されるように、下流樋状体３１の下流端３１ｂ及びフォーマ４の投入口４１ａの上方を覆うように取り付けられる樋状部材で、下流樋状体３１における物品進行方向（斜め下方向）からフォーマ４内における物品落下方向に向けてバナナ状に湾曲し、下流樋状体３１から排出される物品をフォーマ４内へ案内する。図２（ｂ）に示されるように、樋状ガイド体６の物品案内面６ｃは、左右両側部６ｄから中央部６ｅへ向かうにつれて幅狭となるＶ字形の横断面を有してなる。また、物品案内面６ｃは、下流樋状体３１の上方に位置する上流端６ａ付近では、下流樋状体３１の物品案内面３１ｃと対向するように下向きにされており、そこから湾曲させられて、フォーマ４内に位置する下流端６ｂ付近では、下流樋状体３１からの物品を堰き止めるように横向きにされている。
【００１８】
上記縦型包装装置１は、計量機８からまとめて落下排出される物品群を上流樋状体２１の物品案内面２１ｃで受けて、その傾斜に沿って下流端２１ｂへ向かうように走行させ、さらに上流樋状体２１から排出される物品群を下流樋状体３１の物品案内面３１ｃで受けて、その傾斜に沿って下流端３１ｂへ向かうように走行させる。この際、物品案内面２１ｃ，３１ｃは、振動体２２、３２によって加振されており、しかも上流樋状体２１と下流樋状体３１との間に落差が設けられているため、組合せ計量された物品群が上方からまとめて排出されるものであっても、物品案内面２１ｃ、３１ｃを走行するうちに前後方向にバラけて、横断面Ｖ字形の底部２１ｅ、３１ｅ上に沿って一列に整列した状態で落下排出される。したがって、物品群が下流フィーダ３からフォーマ４に供給されるときに、フォーマ４（特に筒部４２）内やそれに続く筒状包材Ｔの開口部に物品が殺到して詰まることが確実に防止される。本装置は、二台の上流及び下流フィーダ２，３による加振で物品を走行方向に加速するので、物品の高速処理にも適している。
【００１９】
下流フィーダ３の下流端３１ｂから排出される物品群は、その下方に設けられるフォーマ４の投入口４１ａへ供給され、フォーマ４の下方に形成された筒状包材Ｔに収容され包装される。この際、下流フィーダ３から排出される物品は、横断面Ｖ字形の物品案内面６ｃを有し、下流樋状体３１上における物品進行方向からフォーマ４内における物品落下方向に向けて湾曲した樋状ガイド体６によって、上方から覆われた状態でフォーマ４内へ向かうため、図２（ａ）に示されるように、物品群Ｇが一列に整列した形状を維持しながら、進行方向を滑らかに変更させてフォーマ４内へ確実に導入することができる。したがって、物品の詰まり防止と高速処理が担保される。
【００２０】
本発明に係る縦型包装装置は、上記実施形態に限定されることなく、その要旨を変更しない範囲内で種々の変更を加え得る。例えば、上記実施形態の縦型包装装置１では、上流フィーダ２と下流フィーダ３の二台の振動フィーダのみを備えることとしたが、三台以上の振動フィーダを連続させることとしても良い。また、樋状体の物品案内面２１ｃ，３１ｃは、いずれも横断面Ｖ字形に形成されていたが、物品を一列に整列させることができるものであれば、例えば、横断面Ｕ字形や横断面円弧形等、底部に向うにつれて幅狭となる横断面を有する樋状体を採用しても良い。樋状ガイド体の物品案内面６ｃも、横断面Ｕ字形や横断面円弧形等、底部に向うにつれて幅狭となる横断面を採用しても良い。
【符号の説明】
【００２１】
１    縦型包装装置
２    上流フィーダ
２１    上流樋状体
２１ｂ    下流端
２１ｃ    物品案内面
２１ｅ    底部
３    下流フィーダ
３１    下流樋状体
３１ｂ    下流端
３１ｃ    物品案内面
３１ｅ    底部
４    フォーマ
５    横シール部
６    樋状ガイド体
Ｂ    包装材
Ｇ    物品群
Ｔ    筒状包材
【図１】
2010208645.tif 000003
【図２】
2010208645.tif 000004